(57)【要約】      （修正有）【課題】コストと減損率が共に低いソーラーエネルギーバッグを提供する。【解決手段】ソーラーエネルギーバッグは、展開及び折り畳み可能なソーラーエネルギー収集モジュール１０、折り畳み後のソーラーエネルギー収集モジュール１０を収納可能な携帯収納バッグ３０を備える。携帯収納バッグ３０中には蓄電装置３３を設置し、蓄電装置３３とソーラーエネルギー収集モジュール１０のソーラーパネル１２とは接続し、ソーラーエネルギー収集モジュール１０は予定数のソーラーパネル１２を集めて配列し、フレキシブル基材１１に固定して構成する。この構成により、展開時のソーラーエネルギー収集モジュール１０は充分なソーラーエネルギー収集面積を提供でき、ソーラーエネルギーを電気エネルギーに転換して、蓄電装置３３中に蓄電し、ソーラーエネルギー収集モジュール１０は折り畳んで小さくし、携帯収納バッグ３０中に収納して携帯することができる。【選択図】図１
0003177813.tif 000002
【実用新案登録請求の範囲】
【請求項１】
ソーラーエネルギーバッグは、ソーラーエネルギー収集モジュール、携帯収納バッグを備え、前記ソーラーエネルギー収集モジュールは、フレキシブル基材を備え、予定数のソーラーパネルは、
前記フレキシブル基材上の角定位部品により、１個ずつ前記フレキシブル基材に固定され、相互に隣接する前記ソーラーパネル間には、予定の間隔を備え、
これにより前記フレキシブル基材の折畳部を形成し、前記各ソーラーパネルはすべて電力出力線を備え、前記電力出力線は、前記フレキシブル基材の内部に集中し、
最終的には、前記フレキシブル基材表面に予め設置する穿孔中に集まり、外へ出ていき、前記携帯収納バッグは、折り畳み後の前記ソーラーエネルギー収集モジュールを収納可能な収容設置空間、
及び前記携帯収納バッグを封鎖する封鎖部品を備え、前記携帯収納バッグ内部には、蓄電装置の収納に用いる蓄電装置収納部を設置し、
前記フレキシブル基材から外に出る電力出力線は、伝送モジュールを通して、前記蓄電装置と接続することを特徴とするソーラーエネルギーバッグ。
【請求項２】
前記ソーラーエネルギーバッグはさらに、アダプターを備え、前記アダプターは、伝送モジュールを通して、前記蓄電装置と接続することを特徴とする請求項１に記載のソーラーエネルギーバッグ。
【請求項３】
前記携帯収納バッグの背面にはさらに、伸縮プルハンドルを設置するプルハンドル挿入設置部を備えることを特徴とする請求項１に記載のソーラーエネルギーバッグ。
【考案の詳細な説明】
【技術分野】
【０００１】
本考案はソーラーエネルギーの収集モジュールに関し、特に折り畳み及び展開が可能なソーラーエネルギー収集モジュール、及び折り畳んだソーラーエネルギー収集モジュールを収納する携帯収納バッグを採用し、携帯収納バッグはソーラーエネルギー収集モジュールが接続する蓄電装置を備え、及び蓄電装置の電力を一般家庭用電力に転換するアダプターを備える携帯に便利なソーラーエネルギーバッグに関する。
【背景技術】
【０００２】
電力の生産方法の多くは、環境汚染の問題を引き起こしている。そのため、自然エネルギー(ソーラーエネルギー、風力など)を利用し、電力に転換する方法への注目が高まっている。しかし、家庭用電力において、ソーラーエネルギーを利用し発電可能な設備に必要な設置面積は非常に広く、またその設備コストは非常に高い。そのため、業界では視点を替え、家電、コンピューター、３Ｃ製品へ電力を供給可能なコンパクトなソーラーエネルギー収集モジュールの開発が進められている。該コンパクトなソーラーエネルギー収集モジュールは、携帯における利便性をも実現している。
【０００３】
携帯の利便性とソーラーエネルギー収集モジュールのコンパクト化という、二つの目的を達成しながら、ソーラーエネルギーの収集率を拡大し、発電能力を高めることができれば、製品として、高い市場競争力が見込めるはずである。フレキシブル薄膜ソーラーパネルを採用すれば、上記した目的を実現することができるが、コストが高く、しかも減損率が高く、それが現在業界が直面する難問である。本考案は、従来のソーラーエネルギー収集モジュールの上記した欠点に鑑みてなされたものである。
【考案の概要】
【考案が解決しようとする課題】
【０００４】
本考案が解決しようとする第一の課題は、ソーラーエネルギーを電気エネルギーに転換して蓄電でき、ソーラーパネルを集めて配列しフレキシブル基材に設置し、これにより展開及び折り畳み可能なソーラーエネルギー収集モジュールを構成し、展開時のソーラーエネルギー収集モジュールは充分なソーラーエネルギー収集面積を提供でき、折り畳んで小さくし携帯収納バッグ中に収納して携帯することができ、その展開及び折り畳みはソーラーエネルギー収集モジュールを損壊することはなく、従来の技術のフレキシブル薄膜ソーラーパネルに比べ、コストと減損率が共に低いソーラーエネルギーバッグを提供することである。
本考案が解決しようとする第二の課題は、蓄電した電力を一般家庭用電力に転換可能なアダプターを備え、アダプターを通して、ソーラーエネルギーバッグが蓄電した電力は、低消費電力の家電、ポータブル３Ｃ製品の使用に提供されるソーラーエネルギーバッグを提供することである。
【課題を解決するための手段】
【０００５】
上記課題を解決するため、本考案は下記のソーラーエネルギーバッグを提供する。
ソーラーエネルギーバッグは、ソーラーエネルギー収集モジュール、携帯収納バッグ、アダプターを備え、
該ソーラーエネルギー収集モジュールは、フレキシブル基材を備え、予定数のソーラーパネルは、該フレキシブル基材上の角定位部品により、１個ずつ該フレキシブル基材に固定され、相互に隣接する該ソーラーパネル間には、予定の間隔を備え、これにより該フレキシブル基材の折畳部を形成し、
該各ソーラーパネルはすべて、電力出力線を備え、該電力出力線は、該フレキシブル基材の内部に集中し、最終的には、該フレキシブル基材表面に予め設置する穿孔中に集まり、外へ出ていき、
該携帯収納バッグは、折り畳み後の該ソーラーエネルギー収集モジュールを収納可能な収容設置空間、及び該携帯収納バッグを封鎖する封鎖部品を備え、該携帯収納バッグ内部には、蓄電装置の収納に用いる蓄電装置収納部を設置し、
該フレキシブル基材から外に出る電力出力線は、伝送モジュール(電源コード、コンセント、プラグなど)を通して、該蓄電装置と接続し、
該アダプターは別の伝送モジュール(電源コード、コンセント、プラグなど)を通して、該蓄電装置と接続し、該アダプターは、該蓄電装置の直流電力を、交流電力に転換し、低消費電力の家電、或いはポータブル３Ｃ製品の使用に提供する。
【考案の効果】
【０００６】
本考案のソーラーエネルギーバッグにおいて、ソーラーエネルギー収集モジュールは展開及び折り畳み可能で、展開時のソーラーエネルギー収集モジュールは充分なソーラーエネルギー収集面積を提供でき、折り畳んで小さくし携帯収納バッグ中に収納して携帯することができ、従来の技術のフレキシブル薄膜ソーラーパネルに比べ、コストと減損率が共に低く、また蓄電した電力を一般家庭用電力に転換可能なアダプターを備えるため、電力を低消費電力の家電、ポータブル３Ｃ製品に提供することができる。
【図面の簡単な説明】
【０００７】
【図１】本考案ソーラーエネルギー収集モジュールの展開状態を示す立体分解図である。
【図２】本考案ソーラーエネルギー収集モジュールの折畳状態を示す立体分解図である。
【図３】本考案携帯収納バッグの正面立体外観図である。
【図４】本考案携帯収納バッグの背面立体外観図である。
【図５】本考案の使用状態を示す模式図である。
【考案を実施するための形態】
【０００８】
以下に図面を参照しながら本考案を実施するための最良の形態について詳細に説明する。
【実施例】
【０００９】
本考案ソーラーエネルギーバッグは、ソーラーエネルギー収集モジュール１０、ソーラーエネルギー収集モジュール１０を収納する携帯収納バッグ３０を備える。
【００１０】
図１、２に示すように、ソーラーエネルギー収集モジュール１０は、フレキシブル基材１１を備える。予定数のソーラーパネル１２は、フレキシブル基材１１上の角定位部品１３により、１個ずつフレキシブル基材１１に固定される。相互に隣接するソーラーパネル１２間には、予定の間隔を備え、これによりフレキシブル基材１１の折畳部１４を形成する。各ソーラーパネル１２はすべて、電力出力線１５を備える。電力出力線１５は、フレキシブル基材１１の内部に集中し、最終的には、フレキシブル基材１１表面に予め設置する穿孔１６中に集まり、外へ出る。ソーラーエネルギー収集モジュール１０は、フレキシブル基材１１の折畳部１４を利用し折り畳み、図２に示す折り畳み状態を形成することができる。折り畳み状態にある際には、ソーラーパネル１２は、フレキシブル基材１１に包まれ保護されている。ソーラーエネルギー収集モジュール１０を使用する時には、フレキシブル基材１１を図１に示すように展開し、すべてのソーラーパネル１２の集光面が、ソーラーエネルギーを受けられるようにする。
【００１１】
図３、４に示すように、携帯収納バッグ３０は、折り畳み後のソーラーエネルギー収集モジュール１０を収納可能な収容設置空間３１、及び携帯収納バッグ３０を封鎖する封鎖部品３２を備える。本実施例では、封鎖部品３２はファスナーである。携帯収納バッグ３０内部には、蓄電装置３３の収納に用いる蓄電装置収納部３４を設置する。フレキシブル基材１１から外に出る電力出力線１５は、伝送モジュール１５１(電源コード、コンセント、プラグなど)を通して、蓄電装置３３と接続する。ソーラーエネルギー収集モジュール１０は、ソーラーエネルギーを電気エネルギーに転換し、蓄電装置３３に蓄電する。図５に示すように、アダプター４０は、伝送モジュール４１(電源コード、コンセント、プラグなど)を通して、蓄電装置３３と接続し、蓄電装置３３の蓄電エネルギー(直流電流)を、一般家庭用の電力(交流電力)に転換する。これにより、電力は、低消費電力の家電、ポータブル３Ｃ製品の使用に提供される。
【００１２】
図３、４に示すように、持ち手３５を携帯収納バッグ３０に連結することで、使用者は携帯収納バッグ３０を持ち易くなる。携帯収納バッグ３０の背面にはさらに、伸縮プルハンドル３７を設置するプルハンドル挿入設置部３６を備える。これにより、伸縮プルハンドル３７とキャスター(図示なし)を設置することができ、使用者は携帯収納バッグ３０を引いて持ち運ぶことができる。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１４】
１０  ソーラーエネルギー収集モジュール
１１  フレキシブル基材
１２  ソーラーパネル
１３  角定位部品
１４  折畳部
１５  電力出力線
１５１  伝送モジュール
１６  穿孔
３０  携帯収納バッグ
３１  収容設置空間
３２  封鎖部品
３３  蓄電装置
３４  蓄電装置収納部
３５  持ち手
３６  プルハンドル挿入設置部
３７  伸縮プルハンドル
４０  アダプター
４１  伝送モジュール
【図１】
0003177813.tif 000003
【図２】
0003177813.tif 000004
【図３】
0003177813.tif 000005
【図４】
0003177813.tif 000006
【図５】
0003177813.tif 000007